(57)【特許請求の範囲】
【請求項１】
商品コードに対応付けて少なくとも商品の販売価格情報を記憶する販売価格エリアと商品のまとめ売りに関するまとめ売り情報を記憶するまとめ売り関連付けエリアとを有する商品マスタ記憶手段と、
この商品マスタの前記まとめ売り関連付けエリアに記憶された商品のまとめ売り情報に関連付けてまとめ売り成立個数とまとめ売り付与ポイントとを記憶したまとめ売り条件記憶手段と、
商品に付される前記商品コードとその商品の販売個数とを入力する商品情報入力手段と、
この商品情報入力手段により入力された前記商品コードに基づいて前記商品マスタ記憶手段から前記販売価格情報を検索し、その検索された販売価格情報と前記商品情報入力手段により入力された前記販売個数とにより売上登録する売上登録手段と、
この売上登録手段による売上登録に基づいて買上ポイントを算出するポイント算出手段と、
前記買上ポイントを一取引毎に累積加算するポイント累積手段と、
このポイント累積手段によって累積加算された前記買上ポイントを記憶保持するポイント記憶手段と、
前記商品情報入力手段により入力された前記商品コードに基づいて前記売上登録手段により売上登録された商品がまとめ売り商品を構成するか否かをその商品コードに基づいて前記まとめ売り関連付けエリアに前記まとめ売り情報が記憶されているか否かによって判別するまとめ売り構成商品判別手段と、
このまとめ売り構成商品判別手段によりまとめ売り構成商品であると判別された場合、そのまとめ売り構成商品の販売個数を前記まとめ売り関連付けエリアに記憶されていた一のまとめ売り情報に対応付けて一取引内で計数するまとめ売り構成商品数計数手段と、
このまとめ売り構成商品数計数手段により計数された前記一のまとめ売り情報に対応付けられた一取引販売個数が前記まとめ売り条件記憶手段で前記一のまとめ売り情報に対応付けられた一のまとめ売り成立個数を満たすか否かを判別するまとめ売り成立判別手段と、
このまとめ売り成立判別手段により前記一のまとめ売り情報に対応付けられた一取引販売個数が前記一のまとめ売り成立個数を満たすと判別された場合、その一のまとめ売り情報に関連付けられた前記まとめ売り条件記憶手段の一のまとめ売り付与ポイントを前記一のまとめ売り情報に対応付けられた一取引販売個数に応じて整数倍してまとめ売りポイントとして取得し、前記買上ポイントに加算するまとめ売りポイント加算手段と、
プリンタによって取引内容を印字したレシートを印字発行する手段と、
前記算出した買上ポイントと前記取得したまとめ売りポイントとを区別して前記レシートに印字する手段と、
を備える商品販売登録データ処理装置。
【請求項２】
前記まとめ売り成立個数と前記まとめ売り付与ポイントとの組を前記まとめ売り条件記憶手段上の同一の前記まとめ売り情報に関連付けて種別を異ならせて複数設定する種別設定手段と、
この種別設定手段によって設定された前記まとめ売り成立個数と前記まとめ売り付与ポイントとの組の種別を指定する種別指定手段と、
この種別指定手段によって指定された種別に基づいて前記まとめ売り条件記憶手段の前記一のまとめ売り情報に対応付けられた前記まとめ売り成立個数を取得して前記まとめ売り成立判別手段に供し、指定された種別に基づいて前記まとめ売り条件記憶手段の前記一のまとめ売り情報に対応付けられた前記まとめ売り付与ポイントを取得して前記まとめ売りポイント加算手段に供する種別情報取得手段と、
を備える請求項１記載の商品販売登録データ処理装置。
【請求項３】
コンピュータを動作させるプログラムを記憶したコンピュータ読み取り可能な記憶媒体において、前記プログラムは、
商品コードに対応付けて少なくとも商品の販売価格情報と商品のまとめ売りに関するまとめ売り情報とを記憶させる手段と、
前記まとめ売り情報に関連付けてまとめ売り成立個数とまとめ売り付与ポイントとを記憶させる手段と、
商品情報入力手段により入力された前記商品コードに基づいて前記販売価格情報を検索し、その検索した販売価格情報と前記商品情報入力手段により入力された販売個数とにより売上登録させる手段と、
前記売上登録に基づく買上ポイントを算出させる手段と、
前記買上ポイントを一取引毎に累積加算させる手段と、
累積加算した前記買上ポイントを記憶保持させる手段と、
前記商品情報入力手段により入力された前記商品コードに基づいて売上登録された商品がまとめ売り商品を構成するか否かをその商品コードに基づいて前記まとめ売り情報が記憶されているか否かによって判別させる手段と、
まとめ売り構成商品であると判別した場合、そのまとめ売り構成商品の販売個数を記憶していた一のまとめ売り情報に対応付けて一取引内で計数させる手段と、
計数した前記一のまとめ売り情報に対応付けられた一取引販売個数が前記一のまとめ売り情報に対応付けられた一のまとめ売り成立個数を満たすか否かを判別させる手段と、
前記一のまとめ売り情報に対応付けられた一取引販売個数が前記一のまとめ売り成立個数を満たすと判別された場合、その一のまとめ売り情報に関連付けられた一のまとめ売り付与ポイントを前記一のまとめ売り情報に対応付けられた一取引販売個数に応じて整数倍してまとめ売りポイントとして取得し、前記買上ポイントに加算させる手段と、
プリンタによって取引内容を印字したレシートを印字発行する手段と、
前記算出した買上ポイントと前記取得したまとめ売りポイントとを区別して前記レシートに印字する手段と、
を前記コンピュータに実行させる、記憶媒体。
【請求項４】
前記プログラムは、
前記まとめ売り成立個数と前記まとめ売り付与ポイントとの組を同一の前記まとめ売り情報に関連付けて種別を異ならせて複数設定させる手段と、
前記まとめ売り成立個数と前記まとめ売り付与ポイントとの組の種別を指定させる手段と、
指定した種別に基づいて前記一のまとめ売り情報に対応付けられた前記まとめ売り成立個数を取得させ、指定した種別に基づいて前記一のまとめ売り情報に対応付けられた前記まとめ売り付与ポイントを取得させる手段と、
を前記コンピュータに実行させる、請求項３記載の記憶媒体。
【発明の詳細な説明】
【０００１】
【発明の属する技術分野】
本発明は、スーパーマーケットやコンビニエンスストア等で使用されるＰＯＳ端末やＥＣＲ等の商品販売登録データ処理装置及びコンピュータを動作させるプログラムを記憶したコンピュータ読み取り可能な記憶媒体に関する。
【０００２】
【従来の技術】
従来、スーパーマーケット等においては、例えば、単価１００円の商品（商品の種類は異なっても良い）を３個まとめて購入した場合には５０円値引きして２５０円で販売する、という具合いに、まとめ売り指定された商品を所定個数まとめて購入した場合にはその合計額よりも安い金額で販売することで顧客へのサービス向上を図るようにした販売方式がある。このようなまとめ売りの販売方式は、ミックス・アンド・マッチ（以下、“Ｍ＆Ｍ”とする）方式と称されている。
【０００３】
このようなＭ＆Ｍ方式と称される商品のまとめ売りに関して登録処理できる商品販売登録データ処理装置では、まとめ売り商品を構成する商品の一取引における販売個数をまとめ売り商品別に計数し、その計数値がそのまとめ売り商品に関して設定されたまとめ売り成立個数に達した場合には、まとめ売り条件が成立したと判別して、値引登録処理するようにしている。
【０００４】
加えて、スーパーマーケット等においては、例えば、商品買上合計金額に応じたポイントを顧客カードに累積付加し、この累計ポイントに基づいて顧客に特典を与えるポイントサービスも採用されている。このようなポイントサービスによれば、顧客の購買意欲を高めるとともに、固定客を掴むための様々な販売促進活動を支援することができる。
【０００５】
【発明が解決しようとする課題】
ところが、前述したようなＭ＆Ｍ方式は所定の金額を合計金額から値引く値引登録処理のみに対応していることにより、折角ポイントサービスを採用していても、Ｍ＆Ｍ方式を採ることによるポイントサービスの利用率向上等の相乗効果が得られず、顧客に対するサービスが分散傾向にあった。
【０００６】
本発明の目的は、まとめ売り方式を採ることによってポイントサービスの利用率向上等の相乗効果を得ることができる商品販売登録データ処理装置及びコンピュータを動作させるプログラムを記憶したコンピュータ読み取り可能な記憶媒体を得ることである。
【０００７】
本発明の目的は、きめの細かなサービスを提供することができる商品販売登録データ処理装置及びコンピュータを動作させるプログラムを記憶したコンピュータ読み取り可能な記憶媒体を得ることである。
【０００８】
【課題を解決するための手段】
請求項１記載の発明の商品販売登録データ処理装置は、商品コードに対応付けて少なくとも商品の販売価格情報を記憶する販売価格エリアと商品のまとめ売りに関するまとめ売り情報を記憶するまとめ売り関連付けエリアとを有する商品マスタ記憶手段と、この商品マスタの前記まとめ売り関連付けエリアに記憶された商品のまとめ売り情報に関連付けてまとめ売り成立個数とまとめ売り付与ポイントとを記憶したまとめ売り条件記憶手段と、商品に付される前記商品コードとその商品の販売個数とを入力する商品情報入力手段と、この商品情報入力手段により入力された前記商品コードに基づいて前記商品マスタ記憶手段から前記販売価格情報を検索し、その検索された販売価格情報と前記商品情報入力手段により入力された前記販売個数とにより売上登録する売上登録手段と、この売上登録手段による売上登録に基づいて買上ポイントを算出するポイント算出手段と、前記買上ポイントを一取引毎に累積加算するポイント累積手段と、このポイント累積手段によって累積加算された前記買上ポイントを記憶保持するポイント記憶手段と、前記商品情報入力手段により入力された前記商品コードに基づいて前記売上登録手段により売上登録された商品がまとめ売り商品を構成するか否かをその商品コードに基づいて前記まとめ売り関連付けエリアに前記まとめ売り情報が記憶されているか否かによって判別するまとめ売り構成商品判別手段と、このまとめ売り構成商品判別手段によりまとめ売り構成商品であると判別された場合、そのまとめ売り構成商品の販売個数を前記まとめ売り関連付けエリアに記憶されていた一のまとめ売り情報に対応付けて一取引内で計数するまとめ売り構成商品数計数手段と、このまとめ売り構成商品数計数手段により計数された前記一のまとめ売り情報に対応付けられた一取引販売個数が前記まとめ売り条件記憶手段で前記一のまとめ売り情報に対応付けられた一のまとめ売り成立個数を満たすか否かを判別するまとめ売り成立判別手段と、このまとめ売り成立判別手段により前記一のまとめ売り情報に対応付けられた一取引販売個数が前記一のまとめ売り成立個数を満たすと判別された場合、その一のまとめ売り情報に関連付けられた前記まとめ売り条件記憶手段の一のまとめ売り付与ポイントを前記一のまとめ売り情報に対応付けられた一取引販売個数に応じて整数倍してまとめ売りポイントとして取得し、前記買上ポイントに加算するまとめ売りポイント加算手段と、プリンタによって取引内容を印字したレシートを印字発行する手段と、前記算出した買上ポイントと前記取得したまとめ売りポイントとを区別して前記レシートに印字する手段と、を備える。
【０００９】
したがって、売上登録手段により売上登録されたまとめ売り構成商品の販売個数がまとめ売り構成商品数計数手段によってまとめ売り情報に対応付けられて一取引内で計数され、このまとめ売り情報に対応付けられた一取引販売個数がそのまとめ売り情報に対応付けられたまとめ売り成立個数を満たすとまとめ売り成立判別手段によって判別された場合、まとめ売りポイントがそのまとめ売り情報に関連付けられたまとめ売り条件記憶手段のまとめ売り付与ポイントをその一取引販売個数に応じて整数倍することにより取得される。このまとめ売りポイントは、売上登録手段による売上登録に基づいて算出された買上ポイントに加算された後、取引毎に累積加算され、ポイント記憶手段において記憶される。これにより、まとめ売り成立時の特典として、まとめ売りポイントが付与されることになる。
【００１０】
請求項２記載の発明の商品販売登録データ処理装置は、請求項１記載の商品販売登録データ処理装置において、前記まとめ売り成立個数と前記まとめ売り付与ポイントとの組を前記まとめ売り条件記憶手段上の同一の前記まとめ売り情報に関連付けて種別を異ならせて複数設定する種別設定手段と、この種別設定手段によって設定された前記まとめ売り成立個数と前記まとめ売り付与ポイントとの組の種別を指定する種別指定手段と、この種別指定手段によって指定された種別に基づいて前記まとめ売り条件記憶手段の前記一のまとめ売り情報に対応付けられた前記まとめ売り成立個数を取得して前記まとめ売り成立判別手段に供し、指定された種別に基づいて前記まとめ売り条件記憶手段の前記一のまとめ売り情報に対応付けられた前記まとめ売り付与ポイントを取得して前記まとめ売りポイント加算手段に供する種別情報取得手段と、を備える。
【００１１】
したがって、まとめ売り条件記憶手段上の同一のまとめ売り情報に関連付けて種別を異ならせて複数設定されたまとめ売り成立個数とまとめ売り付与ポイントとの組から、種別指定手段によって指定された種別に基づくまとめ売り成立個数が取得されてまとめ売り成立判別手段に供され、種別指定手段によって指定された種別に基づくまとめ売り付与ポイントが取得されてまとめ売りポイント加算手段に供される。これにより、まとめ売りの成立条件とまとめ売り成立時に付与されるまとめ売りポイントとが段階的になる。
【００１２】
請求項３記載の発明の記憶媒体は、コンピュータを動作させるプログラムを記憶したコンピュータ読み取り可能な記憶媒体において、前記プログラムは、商品コードに対応付けて少なくとも商品の販売価格情報と商品のまとめ売りに関するまとめ売り情報とを記憶させる手段と、前記まとめ売り情報に関連付けてまとめ売り成立個数とまとめ売り付与ポイントとを記憶させる手段と、商品情報入力手段により入力された前記商品コードに基づいて前記販売価格情報を検索し、その検索した販売価格情報と前記商品情報入力手段により入力された販売個数とにより売上登録させる手段と、前記売上登録に基づく買上ポイントを算出させる手段と、前記買上ポイントを一取引毎に累積加算させる手段と、累積加算した前記買上ポイントを記憶保持させる手段と、前記商品情報入力手段により入力された前記商品コードに基づいて売上登録された商品がまとめ売り商品を構成するか否かをその商品コードに基づいて前記まとめ売り情報が記憶されているか否かによって判別させる手段と、まとめ売り構成商品であると判別した場合、そのまとめ売り構成商品の販売個数を記憶していた一のまとめ売り情報に対応付けて一取引内で計数させる手段と、計数した前記一のまとめ売り情報に対応付けられた一取引販売個数が前記一のまとめ売り情報に対応付けられた一のまとめ売り成立個数を満たすか否かを判別させる手段と、前記一のまとめ売り情報に対応付けられた一取引販売個数が前記一のまとめ売り成立個数を満たすと判別された場合、その一のまとめ売り情報に関連付けられた一のまとめ売り付与ポイントを前記一のまとめ売り情報に対応付けられた一取引販売個数に応じて整数倍してまとめ売りポイントとして取得し、前記買上ポイントに加算させる手段と、プリンタによって取引内容を印字したレシートを印字発行する手段と、前記算出した買上ポイントと前記取得したまとめ売りポイントとを区別して前記レシートに印字する手段と、を前記コンピュータに実行させる。
【００１３】
したがって、売上登録されたまとめ売り構成商品の販売個数がまとめ売り情報に対応付けられて一取引内で計数され、このまとめ売り情報に対応付けられた一取引販売個数がそのまとめ売り情報に対応付けられたまとめ売り成立個数を満たすと判別された場合、まとめ売りポイントがそのまとめ売り情報に関連付けられたまとめ売り付与ポイントをその一取引販売個数に応じて整数倍することにより取得される。このまとめ売りポイントは、売上登録に基づいて算出された買上ポイントに加算された後、取引毎に累積加算されて記憶される。これにより、まとめ売り成立時の特典として、まとめ売りポイントが付与されることになる。
【００１４】
請求項４記載の発明の記憶媒体は、請求項３記載の記憶媒体において、前記まとめ売り成立個数と前記まとめ売り付与ポイントとの組を同一の前記まとめ売り情報に関連付けて種別を異ならせて複数設定させる手段と、前記まとめ売り成立個数と前記まとめ売り付与ポイントとの組の種別を指定させる手段と、指定した種別に基づいて前記一のまとめ売り情報に対応付けられた前記まとめ売り成立個数を取得させ、指定した種別に基づいて前記一のまとめ売り情報に対応付けられた前記まとめ売り付与ポイントを取得させる手段と、を有する。
【００１５】
したがって、同一のまとめ売り情報に関連付けて種別を異ならせて複数設定されたまとめ売り成立個数とまとめ売り付与ポイントとの組から、指定された種別に基づくまとめ売り成立個数が取得され、指定された種別に基づくまとめ売り付与ポイントが取得される。これにより、まとめ売りの成立条件とまとめ売り成立時に付与されるまとめ売りポイントとが段階的になる。
【００１６】
【発明の実施の形態】
本発明の実施の一形態を図１ないし図８に基づいて説明する。本実施の形態は、商品販売登録データ処理装置としてＰＯＳ端末を適用した一例である。
【００１７】
図１は、ＰＯＳ端末１を示す外観斜視図である。ＰＯＳ端末１は、ドロワ２上に載置されており、このドロワ２の引出し３の開閉を制御する。このＰＯＳ端末１は、上面に操作者の操作を受け付ける領域を備え、その操作領域には金額や販売個数等を入力するための置数キーや売上処理において現金による締めを宣言するための預／現計キー等の各種のキーが集合するキーボード４、図示しない鍵によって切り換え操作されるコントロールキー５、後述するレシートＲ（図８参照）を排出するレシート発行口６、及びジャーナル窓７が設けられている。操作者から見て、キーボード４及びコントロールキー５は右側の領域、レシート発行口６及びジャーナル窓７は左側の領域にそれぞれ配置されている。また、ＰＯＳ端末１の右側上方には、操作者側の表示部として機能するディスプレイ８が配置され、このディスプレイ８の近傍には客側の表示部として機能する客側表示ユニット９が立設されている。さらに、ＰＯＳ端末１には、商品コードを光学的に読み取るためのバーコードスキャナ１０が接続されている。加えて、このＰＯＳ端末１には、カードリーダライタ１１（図３参照）が内蔵されており、ＩＣチップを有するポイントカードＣの挿入を受け付けるカード挿入口１２が設けられている。
【００１８】
ポイントカードＣのＩＣチップには、各種の会員データが記録されている。次に、ポイントカードＣのＩＣチップに記録された会員データＤについて図２を参照して説明する。図２に示すように、会員データＤは、会員ナンバａと、氏名ｂと、カード種別ｃと、利用累計ポイントｄとで構成されている。なお、カード種別ｃにおいては、顧客が一般会員の場合には種別として“１”が、顧客が特別会員の場合には種別として“２”が、格納されている。また、利用累計ポイントｄは、前回までの買上ポイントを累積加算したポイントである。
【００１９】
次に、ＰＯＳ端末１に内蔵された各部の電気的接続を図３に基づいて説明する。図３に示すように、このＰＯＳ端末１は、マイクロコンピュータ（以下、マイコンという。）１３を内蔵し、このマイコン１３が各部を駆動制御する。マイコン１３は、各部を集中的に制御するＣＰＵ１４に、アドレスバス、データバス等のバスライン１５を介して、起動プログラム等の固定的データを予め格納するＲＯＭ１６と売上バッファや印字バッファ等の各種バッファを構成して各種データを書き換え自在に格納するワークエリアとして機能するＲＡＭ１７とタイマＴとが接続されて構成されている。なお、ＲＡＭ１７は、バッテリＢＴによってバックアップされている。
【００２０】
さらに、ＣＰＵ１４に接続されたバスライン１５には記憶媒体であるＨＤＤ１８が接続されており、このＨＤＤ１８にはマイコン１３を動作させる制御プログラム、商品マスタファイル、Ｍ＆Ｍテーブル、売上登録に係る売上情報を記憶保持する売上ファイル等が格納されている。ここで、図４は商品マスタファイルＭＦのファイル構造を模式的に示す説明図である。商品マスタファイルＭＦは、商品マスタ記憶手段として機能し、各商品の商品コードに対応する商品名、単価等の商品マスタを記憶保持するデータファイルである。この商品マスタファイルＭＦには、商品コードが設定される商品コードエリアｅと、商品名が設定される商品名エリアｆと、販売価格情報である単価が設定される販売価格エリアｇと、部門コードが設定される部門コードエリアｈ等により構成されている。また、この商品マスタファイルＭＦには、まとめ売り商品の場合に対応するまとめ売り情報であるＭ＆ＭＮｏ．が設定されてまとめ売り関連付けエリアとなるＭ＆ＭＮｏ．エリアｉも確保されている。なお、商品コードエリアｅに格納された商品コードが異なっているが同一のまとめ売り商品に属する商品である場合においては、Ｍ＆ＭＮｏ．エリアｉには同一のＭ＆ＭＮｏ．が設定される。
【００２１】
次に、ＨＤＤ１８に格納されているＭ＆Ｍテーブルについて説明する。ここで、図５はＭ＆ＭテーブルＭＴの構成を模式的に示す説明図である。Ｍ＆ＭテーブルＭＴは、まとめ売りに関する条件が設定されてまとめ売り条件記憶手段として機能するもので、まとめ売り情報であるＭ＆ＭＮｏ．が設定されるＭ＆ＭＮｏ．エリアｊ、カード種別“１”ポイント格納エリアＰ１、カード種別“２”ポイント格納エリアＰ２が設定されている。カード種別“１”ポイント格納エリアＰ１及びカード種別“２”ポイント格納エリアＰ２には、まとめ売りが成立するために必要なまとめ売り成立個数である成立個数データｋと、まとめ売りが成立した場合にポイントカードＣの利用累計ポイントｄに累積されるまとめ売り付与ポイントであるＭ＆Ｍポイントデータｐとが、設定される。これにより、種別設定手段が実現されている。図５に示す具体例においては、カード種別“１”の顧客（一般顧客）に比べ、カード種別“２”の顧客（特別顧客）の方がより有利になるように条件設定されている。このようなＭ＆ＭテーブルＭＴは、各々Ｍ＆ＭＮｏ．エリアｊに設定されたＭ＆ＭＮｏ．によって商品マスタファイルＭＦ側の個々の商品と関連付けられる。
【００２２】
また、ＲＡＭ１７に割り当てられた各種バッファの中で本実施の形態での特長的なバッファとしては、図３に示すように、ポイント累積バッファ１７ａとカード種別バッファ１７ｂとＭ＆Ｍバッファ１７ｃとがある。ポイント累積バッファ１７ａは、取得したポイントカードＣの前回までの買上ポイントである利用累計ポイントｄを一時的に記憶した後、更新するための領域である。カード種別バッファ１７ｂは、取得したポイントカードＣのカード種別ｃを一時的に記憶するための領域である。また、Ｍ＆Ｍバッファ１７ｃは、図６に示すように、取得したＭ＆ＭＮｏ．に関連付けられる商品の一取引内での販売個数を計数するための領域である。
【００２３】
ＨＤＤ１８には制御プログラムが格納されているので、ＰＯＳ端末１の起動時、ＨＤＤ１８に格納された制御プログラムが売上ファイル等とともにＲＡＭ１７に書き込まれ、これによってマイコン１３による各部の駆動制御が可能な状態となる。マイコン１３によって駆動制御される各部を図３を参照して次に説明する。
【００２４】
カードリーダライタ１１は、リーダライタ制御回路１９を介してバスライン１５に接続され、リーダライタ制御回路１９の動作によってポイントカードＣに記録される会員データＤに応じた信号をマイコン１３に対して入出力する。
【００２５】
キーボード４は、キーボード入力回路２０を介してバスライン１５に接続され、キーボード入力回路２０の動作によって押下されたキーに応じた信号をマイコン１３に入力する。
【００２６】
コントロールキー５は、コントロールキー入力回路２１を介してバスライン１５に接続され、コントロールキー入力回路２１の動作によって切り換え位置に応じた信号をマイコン１３に入力する。マイコン１３は、コントロールキー５の出力信号に応じて、ＰＯＳ端末１の動作モードを登録モード、設定モード、精算モード、点検モード等の各業務モードに設定する。
【００２７】
ディスプレイ８は、表示制御回路２２を介してバスライン１５に接続され、マイコン１３からの表示データが表示制御回路２２に入力されると、表示制御回路２２に駆動されて所定事項を表示する。
【００２８】
客側表示ユニット９は、客側表示制御回路２３を介してバスライン１５に接続され、マイコン１３からの客側表示データが客側表示制御回路２３に入力されると、客側表示制御回路２３に駆動されて所定事項を表示する。
【００２９】
バーコードスキャナ１０は、スキャナ入力回路２４を介してバスライン１５に接続され、スキャナ入力回路２４の動作によって読み取った商品コードのデータをマイコン１３に送信する。
【００３０】
また、ＰＯＳ端末１には、プリンタ２５が内蔵されており、マイコン１３によって駆動制御される。このプリンタ２５は、プリンタ制御回路２６を介してバスライン１５に接続され、マイコン１３からの印字データがプリンタ制御回路２６に入力されると、プリンタ制御回路２６に駆動されてレシート用紙やジャーナル用紙に所定事項を印字する。さらに、このプリンタ２５には、カッタ部（図示せず）が内蔵されている。このカッタ部は、マイコン１５によって駆動制御され、レシート用紙を所定の位置において切断する。これにより、プリンタ２５は、レシートＲの印字発行機能を発揮する。
【００３１】
ＰＯＳ端末１とは別体で設けられたドロワ２も、マイコン１３によって駆動制御される。このドロワ２は、ドロワ制御回路２７を介してバスライン１５に接続され、マイコン１３からの開放信号に応じてドロワ制御回路２７が駆動されてドロワ２の引出し３の開放を行なう。
【００３２】
次に、ＨＤＤ１８に格納された制御プログラムがマイコン１３に実行させる機能について説明する。起動後のＰＯＳ端末１では、コントロールキー５の切り換え位置に応じて動作モードが選択される。つまり、コントロールキー５の切り換え位置によって発生する出力信号に応じ、マイコン１３がＰＯＳ端末１の動作モードを登録モード、設定モード、精算モード、点検モード等に設定する。本実施の形態においては、各モードの処理について従来のＰＯＳ端末によって行なわれる処理と同様の処理についてはその説明を省略する。
【００３３】
次に、コントロールキー５の切り換え操作によって登録モードに設定されていることを条件として実行される売上処理について説明する。ここで、図７は売上処理の流れを概略的に示すフローチャートである。
【００３４】
売上処理では、最初に、カードリーダライタ１１でのポイントカードＣの読み取りによる会員データＤの入力に待機する（ステップＳ１）。カード挿入口１２からポイントカードＣが挿入されてカードリーダライタ１１において会員データＤが読み取られることにより会員データＤの入力があったと判断された場合（ステップＳ１のＹ）、会員データＤから前回までの買上ポイントである利用累計ポイントｄを取得してＲＡＭ１７のポイント累積バッファ１７ａに一時的に記憶し、会員データＤからカード種別ｃを取得してＲＡＭ１７のカード種別バッファ１７ｂに一時的に記憶する（ステップＳ２）。ここに、種別指定手段の機能が実現される。
【００３５】
次いで、売り上げ商品についてのバーコードスキャナ１０による商品コードの読み取りやキーボード４の置数キーによる商品コードの入力、及びキーボード４の置数キーによる販売個数の入力等があるまで待機する（ステップＳ３）。つまり、キーボード４とバーコードスキャナ１０とが商品情報入力手段として機能することになる。バーコードスキャナ１０による商品コードの読み取りやキーボード４の置数キーによる商品コードの入力、及びキーボード４の置数キーによる販売個数の入力等があったと判断されると（ステップＳ３のＹ）、ステップＳ４において売上登録処理が実行される。この売上登録処理では、入力された商品コードに基づいて商品マスタファイルＭＦを検索することにより得られた商品名と単価と部門コードとによる売上データが売上バッファに記憶され、その単価等の取引情報がディスプレイ８や客側表示ユニット９に表示される。ここに、売上登録手段の機能が実行される。
【００３６】
続くステップＳ５においては、商品マスタファイルＭＦのＭ＆ＭＮｏ．エリアｉに入力された商品コードに基づくＭ＆ＭＮｏ．が設定されているか否かを判別する。ここに、まとめ売り構成商品判別手段の機能が実行される。Ｍ＆ＭＮｏ．が設定されている場合には（ステップＳ５のＹ）、売上登録された商品がまとめ売り商品を構成するものであるとして、その商品の販売個数をＭ＆ＭＮｏ．に対応付けてＲＡＭ１７のＭ＆Ｍバッファ１７ｃにおいて累積加算して記憶する（ステップＳ６）。ここに、まとめ売り構成商品数計数手段の機能が実行される。一方、Ｍ＆ＭＮｏ．が設定されていない場合には（ステップＳ５のＮ）、ステップＳ７に進む。
【００３７】
ステップＳ３〜Ｓ６の処理は、キーボード４の預／現計キーが操作されて締めが宣言されたと判断される迄（ステップＳ７のＹ）、繰り返される。
【００３８】
キーボード４の預／現計キーが操作されて締めが宣言されたと判断されると（ステップＳ７のＹ）、ステップＳ８において締め処理が実行される。この締め処理では、売上バッファに記憶された売上データや、この売上データに基づく消費税額、売上合計金額等が算出された後に印字バッファに記憶され、ドロワ２の引出３が解放される。加えて、この締め処理では、売上合計金額に基づく今回の買上ポイント（例えば、売上合計金額が１００円毎に１ポイント付与）も算出され、印字バッファに記憶される。ここに、ポイント算出手段の機能が実行される。
【００３９】
続いて、ステップＳ９において、Ｍ＆Ｍが成立しているか否かを判別する。ここで、Ｍ＆Ｍが成立しているか否かの判別は、ＲＡＭ１７のＭ＆Ｍバッファ１７ｃにおいてＭ＆ＭＮｏ．に対応付けて一取引販売個数が記憶されており、かつ、その一取引販売個数が、Ｍ＆ＭテーブルＭＴのＭ＆ＭＮｏ．エリアｊに設定されている同一のＭ＆ＭＮｏ．に対応付けられていてカード種別バッファ１７ｂに記憶されたカード種別ｃに基づく成立個数データｋの整数倍以上であるか否かによって判別される。ここに、種別情報取得手段の機能とまとめ売り成立判別手段の機能とが実行される。
【００４０】
例えば、ＲＡＭ１７のＭ＆Ｍバッファ１７ｃに記憶されているＭ＆ＭＮｏ．“１”の一取引販売個数が“３”である場合であって（図６参照）、ＲＡＭ１７のカード種別バッファ１７ｂに記憶されているカード種別ｃが“２”である場合について説明する。図５に示すように、Ｍ＆ＭテーブルＭＴのカード種別“２”ポイント格納エリアＰ２のＭ＆ＭＮｏ．“１”に対応する成立個数データｋは“３（個）”であることにより、Ｍ＆Ｍバッファ１７ｃに記憶された販売個数“３”は成立個数データｋの１倍になるので、このような場合にはＭ＆Ｍが成立しているという判別がなされる。なお、この場合に取得されるまとめ売りポイントであるＭ＆Ｍポイントは、図５のＭ＆ＭテーブルＭＴに基づけば、「Ｍ＆Ｍポイントデータｐ“５０（点）”×１（倍）＝“５０”」である。
【００４１】
Ｍ＆Ｍが成立していると判別した場合には（ステップＳ９のＹ）、Ｍ＆ＭＮｏ．に対応付けられていてカード種別バッファ１７ｂに記憶されたカード種別ｃに基づくＭ＆ＭポイントデータｐによりＭ＆Ｍポイントを算出・取得した後に印字バッファに記憶し、締め処理で算出した今回の買上ポイントにそのＭ＆Ｍポイントを加算する（ステップＳ１０）。ここに、種別情報取得手段の機能とまとめ売りポイント加算手段の機能とが実行される。
【００４２】
続くステップＳ１１では、ステップＳ１０でＭ＆Ｍポイントを加算した今回の買上ポイントをＲＡＭ１７のポイント累積バッファ１７ａに記憶されている前回までの買上ポイントである利用累計ポイントｄに累積加算して新たな利用累計ポイントに更新した後に印字バッファに記憶し、ステップＳ１３に進む。ここに、ポイント累積手段の機能が実行される。
【００４３】
一方、ＲＡＭ１７のＭ＆Ｍバッファ１７ｃにおいてＭ＆ＭＮｏ．に対応付けて一取引販売個数が記憶されていないか、または、Ｍ＆Ｍバッファ１７ｃにおいてＭ＆ＭＮｏ．に対応付けて一取引販売個数が記憶されていてもＭ＆Ｍが成立していないと判別した場合には（ステップＳ９のＮ）、締め処理で算出した今回の買上ポイントをＲＡＭ１７のポイント累積バッファ１７ａに記憶されている前回までの買上ポイントである利用累計ポイントｄに累積加算して新たな利用累計ポイントに更新した後に印字バッファに記憶し（ステップＳ１２）、ステップＳ１３に進む。ここに、ポイント累積手段の機能が実行される。
【００４４】
ステップＳ１３では、ステップＳ１１またはステップＳ１２で更新した新たな利用累計ポイントをカードリーダライタ１１に挿入されているポイントカードＣのＩＣチップに書き込み記憶させる。ここに、ポイント記憶手段の機能が実行される。
【００４５】
次いで、ステップＳ１４のレシート発行処理では、印字バッファに記憶された取引内容がプリンタ２５によって印字されてレシート発行口６からレシートとして発行される。
【００４６】
ここで、図８は発行されたレシートＲの一例を示す平面図である。レシートＲはＭ＆Ｍが成立した場合に発行されるレシートの一例であって、レシートＲには、前回までの買上ポイントである利用累計ポイントｄと、売上合計金額に基づく今回の買上ポイントｄ１と、Ｍ＆Ｍポイントｄ２と、今回までの新たな利用累計ポイントｄ３とが、それぞれ印字されて発行されることになる。
【００４７】
したがって、本実施例によれば、まとめ売り成立時の特典としてＭ＆Ｍポイントｄ２を付与することができるので、まとめ売り方式を採ることによってポイントサービスの利用率向上等の相乗効果を得ることができる。
【００４８】
また、本実施例によれば、成立個数データｋとまとめ売り成立時に付与されるＭ＆Ｍポイントデータｐとを段階的に登録することができるので、きめの細かなサービスを提供することができる。
【００４９】
なお、本実施の形態においては、制御プログラムを格納した記憶媒体としてＨＤＤ１８を適用したが、これに限るものではなく、磁気ディスク、フロッピー（登録商標）ディスク、光ディスク（ＣＤ−ＲＯＭ，ＣＤ−Ｒ，ＤＶＤ等）、光磁気ディスク（ＭＯ等）、半導体メモリ等、プログラムを記憶でき、かつコンピュータが読み取り可能な記憶媒体であれば、その記憶形式は何れの形態であっても良い。
【００５０】
また、記憶媒体からコンピュータにインストールされたプログラムの指示に基づきコンピュータ上で稼動しているＯＳ（オペレーティングシステム）や、データベース管理ソフト、ネットワークソフト等のＭＷ（ミドルウェア）等が本実施形態を実現するための各処理の一部を実行しても良い。
【００５１】
さらに、記憶媒体は１つに限らず、複数の媒体から本実施の形態における処理が実行される場合も本発明における記憶媒体に含まれ、媒体構成は何れの構成であっても良い。
【００５２】
さらにまた、本実施の形態においては、商品販売登録データ処理装置としてＰＯＳ端末を適用したが、これに限るものではなく、ＥＣＲやパーソナルコンピュータ、パーソナルコンピュータを中心に構成された情報処理システム等であっても良い。
【００５３】
【発明の効果】
請求項１記載の発明の商品販売登録データ処理装置によれば、売上登録されたまとめ売り構成商品の販売個数をまとめ売り情報に対応付けて一取引内で計数し、このまとめ売り情報に対応付けた一取引販売個数がそのまとめ売り情報に対応付けたまとめ売り成立個数を満たすと判別した場合、そのまとめ売り情報に関連付けられたまとめ売り条件記憶手段のまとめ売り付与ポイントをその一取引販売個数に応じて整数倍することにより取得したまとめ売りポイントを売上登録に基づいて算出した買上ポイントに加算した後、取引毎に累積加算し、ポイント記憶手段において記憶することにより、まとめ売り成立時の特典としてまとめ売りポイントを付与することができるので、まとめ売り方式を採ることによってポイントサービスの利用率向上等の相乗効果を得ることができる。
【００５４】
請求項２記載の発明の商品販売登録データ処理装置によれば、請求項１記載の商品販売登録データ処理装置において、まとめ売り条件記憶手段上の同一のまとめ売り情報に関連付けて種別を異ならせて複数設定されたまとめ売り成立個数とまとめ売り付与ポイントとの組から、指定された種別に基づくまとめ売り成立個数を取得してまとめ売り成立判別手段に供し、指定された種別に基づくまとめ売り付与ポイントを取得してまとめ売りポイント加算手段に供することにより、まとめ売りの成立条件とまとめ売り成立時に付与されるまとめ売りポイントとを段階的に登録することができるので、きめの細かなサービスを提供することができる。
【００５５】
請求項３記載の発明の記憶媒体によれば、売上登録されたまとめ売り構成商品の販売個数をまとめ売り情報に対応付けて一取引内で計数し、このまとめ売り情報に対応付けた一取引販売個数がそのまとめ売り情報に対応付けたまとめ売り成立個数を満たすと判別した場合、そのまとめ売り情報に関連付けられたまとめ売り付与ポイントをその一取引販売個数に応じて整数倍することにより取得したまとめ売りポイントを売上登録に基づいて算出した買上ポイントに加算した後、取引毎に累積加算して記憶することにより、まとめ売り成立時の特典としてまとめ売りポイントを付与することができるので、まとめ売り方式を採ることによってポイントサービスの利用率向上等の相乗効果を得ることができる。
【００５６】
請求項４記載の発明の記憶媒体によれば、請求項３記載の記憶媒体において、同一のまとめ売り情報に関連付けて種別を異ならせて複数設定されたまとめ売り成立個数とまとめ売り付与ポイントとの組から、指定された種別に基づくまとめ売り成立個数を取得し、指定された種別に基づくまとめ売り付与ポイントを取得することにより、まとめ売りの成立条件とまとめ売り成立時に付与されるまとめ売りポイントとを段階的に登録することができるので、きめの細かなサービスを提供することができる。
【図面の簡単な説明】
【図１】本発明の実施の一形態のＰＯＳ端末を示す外観斜視図である。
【図２】会員データのデータ構造を模式的に示す説明図である。
【図３】ＰＯＳ端末に内蔵された各部の電気的接続を示すブロック図である。
【図４】商品マスタファイルのファイル構造を模式的に示す説明図である。
【図５】Ｍ＆Ｍテーブルの構成を模式的に示す説明図である。
【図６】Ｍ＆Ｍバッファの構成を模式的に示す説明図である。
【図７】売上処理の流れを概略的に示すフローチャートである。
【図８】発行されたレシートの一例を示す平面図である。
【符号の説明】
４，１０      商品情報入力手段
１８          記憶媒体
ＭＦ          商品マスタ記憶手段
ＭＴ          まとめ売り条件記憶手段
ｃ            種別
ｄ１          買上ポイント
ｄ２          まとめ売りポイント
ｇ            販売価格エリア
ｉ            まとめ売り関連付けエリア
ｋ            まとめ売り成立個数
ｐ            まとめ売り付与ポイント
【図１】
0003771735.tif 000002
【図２】
0003771735.tif 000003
【図３】
0003771735.tif 000004
【図４】
0003771735.tif 000005
【図５】
0003771735.tif 000006
【図６】
0003771735.tif 000007
【図７】
0003771735.tif 000008
【図８】
0003771735.tif 000009